(57)【要約】  輸送コンテナのための電子ディスプレイシステムは、互いに接続される複数の発光パネルを含むディスプレイ表面を含み、ディスプレイ表面の形状がコンテナの壁の形状と相補的であるように、パネルの幾つかは他のパネルに対して角度を成している。ディスプレイ表面に表示される視覚的コンテンツを記憶するのにメモリが使用され、プロセッサが複数の発光パネルに接続されて発光パネルの出力を制御し、メモリから検索された視覚的コンテンツを出力する。システムは、プロセッサに接続されて輸送コンテナの位置を判断するのに使用されるＧＰＳ位置モジュールを含み、プロセッサは、判断された位置を使用して、メモリからのどの視覚的コンテンツを表示するかを選択する。【選択図】図１
2019518228.tif 000002
【特許請求の範囲】
【請求項１】
輸送コンテナのための電子ディスプレイシステムであって、
互いに接続される複数の発光パネルを含むディスプレイ表面であって、前記ディスプレイ表面の形状が前記輸送コンテナの壁の形状と相補的であるように、前記発光パネルの幾つかが他の発光パネルに対して角度を成す、ディスプレイ表面と、
前記ディスプレイ表面に表示される視覚的コンテンツを記憶するためのメモリと、
前記複数の発光パネルに接続されて前記発光パネルの出力を制御し、前記メモリから検索された視覚的コンテンツを出力するプロセッサと、
を含むシステム。
【請求項２】
前記システムへ送信される前記視覚的コンテンツを含有するデータを受信するための通信モジュールをさらに含む、請求項１に記載のシステム。
【請求項３】
前記通信モジュールがＧＰＲＳ通信モジュールである、請求項１に記載のシステム。
【請求項４】
前記プロセッサに接続される位置モジュールをさらに含み、前記輸送コンテナの位置を判断するのに前記位置モジュールが使用される、請求項１から３のいずれか一項に記載のシステム。
【請求項５】
前記位置モジュールがＧＰＳモジュールである、請求項４に記載のシステム。
【請求項６】
前記プロセッサが、前記判断された位置を使用して、前記メモリからのどの視覚的コンテンツを表示するかを選択する、請求項４または請求項５に記載のシステム。
【請求項７】
前記発光パネルが互いに対して角度を成しているにも関わらず視認される画像全体が補正されるように、前記プロセッサが前記発光パネルからの前記画像を補正する、請求項１から６のいずれか一項に記載のシステム。
【発明の詳細な説明】
【技術分野】
【０００１】
本出願は、輸送コンテナのための電子ディスプレイシステムに関する。
【背景技術】
【０００２】
ある場所から別の場所へ物品を輸送するのに使用される一般的な輸送コンテナは、大型で形状が矩形であり、運送コンテナとして使用される。
【０００３】
これらのコンテナは、その大きさと視認性のため、良好な広告表面となるだろう。
【発明の概要】
【発明が解決しようとする課題】
【０００４】
本発明は、これに対応して、輸送コンテナのための電子ディスプレイシステムを提供する。
【課題を解決するための手段】
【０００５】
本発明の第一実施例によれば、輸送コンテナのための電子ディスプレイが提供され、このディスプレイは、
互いに接続される複数の発光パネルを含むディスプレイ表面であって、ディスプレイ表面の形状がコンテナの壁の形状と相補的であるようにパネルの幾つかが他のパネルに対して角度を成す、ディスプレイ表面と、
ディスプレイ表面に表示される視覚的コンテンツを記憶するためのメモリと、
複数の発光パネルに接続されて発光パネルの出力を制御し、メモリから検索された視覚的コンテンツを出力するプロセッサと、
を含む。
【０００６】
システムはさらに、システムへ送信される視覚的コンテンツを含有するデータを受信するための通信モジュールを含みうる。
【０００７】
通信モジュールは、ＧＰＲＳ通信モジュールでありうる。
【０００８】
システムはプロセッサに接続される位置モジュールも含み、位置モジュールは輸送コンテナの位置を判断するのに使用される。
【０００９】
位置モジュールはＧＰＳモジュールでありうる。
【００１０】
一例において、プロセッサは、判断された位置を使用して、メモリからのどの視覚的コンテンツを表示するかを選択する。
【図面の簡単な説明】
【００１１】
【図１】本発明による、コンテナの側面に装着される電子ディスプレイシステムを備える輸送コンテナの例を示す。
【図２】コンテナ壁の一部分を示し、ディスプレイ表面の形状がどのようにコンテナの壁の形状と相補的であるかを図示している。
【図３】図２のディスプレイ表面の一部分を視認している視認者を示す。
【図４】本発明による電子ディスプレイシステムのブロック図の例を示す。
【図５】描かれている複数のパネルを制御する制御装置の例を示す。
【発明を実施するための形態】
【００１２】
添付の図を参照すると、輸送コンテナのための電子ディスプレイシステムが設けられている。
【００１３】
図１に示されているコンテナ１０の例は、他に運送コンテナとよく呼ばれる、いわゆる輸送コンテナである。使用時にこれらの輸送コンテナは一般的に、トラック、船舶、そして積み込みおよび積み降ろしが行われる倉庫の間で運ばれる。
【００１４】
ゆえに本明細書で使用される「輸送コンテナ」の語は広く解釈されるべきであり、以下の例示的な説明に限定されない。
【００１５】
いずれにしても、コンテナ１０は複数の側壁１４（図の実施例では４枚）を含む。
【００１６】
物品をコンテナへ投入してコンテナから取り出すようにコンテナ１０の内側に出入りするためのドア１６が、一般的に側壁１４の少なくとも一つに含まれる。
【００１７】
コンテナは屋根１８も含むが、幾つかのコンテナは、特殊な積荷のため上部開口型である。
【００１８】
使用時に、ドア１６が開けられ、輸送される物品がコンテナに積み込まれ、それからドア１６が閉じられて一般的には係止される。
【００１９】
コンテナ１０は目的地まで輸送され、ここでコンテナが開けられて物品が出し入れされる。
【００２０】
輸送の前、間、後に、コンテナ１０は多くの人々に視認可能であり、ゆえに広告用のプラットフォームとなる。
【００２１】
しかしながら、単にコンテナの側面に広告をペイントするのは時間がかかり、広告がもはや関係ない別の国へコンテナが運ばれた時でも広告は変更されないことを意味することが認識されるだろう。
【００２２】
本発明の第一実施例によれば、輸送コンテナ１０のための電子ディスプレイシステム１８が提供される。
【００２３】
ディスプレイ表面２０は、互いに接続される複数の発光パネル２２を含む。
【００２４】
図２および３で最も良く分かるように、ディスプレイ表面の形状がコンテナの壁１４の形状と相補的であるように、パネルの幾つかは他のパネルに対して角度を成している。
【００２５】
一実施例では、発光パネルの各々には複数の発光ダイオードＬＥＤが設置されている。ＬＥＤは一般的に、発光パネルの頂部から発光パネルの底部まで延びる１本以上の垂直線の上に配設されている。
【００２６】
図３を参照すると、ＬＥＤの線の間隔が一定であって狭い視野円錐を有することにより、ディスプレイは所定の角度の視認者のみに視認可能であり、コンテナ壁の形状が失われる。
【００２７】
ゆえに最終製品が壁とディスプレイの両方として機能するように電子ディスプレイは運送コンテナの壁に埋設されることが認識されるだろう。運送コンテナが最初の機能を保持するために、壁により付与される構造的支持は、向上しなくても同じままでなければならない。
【００２８】
電子ディスプレイを製造するため、ポリイミド、ＰＥＥＫ、または透明の導電性ポリエステルのような可撓性プラスチック基板にパネルが配列される。
【００２９】
それからカーボンファイバのような透明材料の層で片側がコーティングされる。この材料は、コンテナが運ばれて載置され積み重ねられる際にコンテナ壁に加えられる外部衝撃を吸収するという機能を有する。電子ディスプレイは、ほぼ無傷のままであるべきである。
【００３０】
電子ディスプレイの第２側は断熱材または同様の材料でコーティングされてから、鋼のように強固な耐衝撃材料で製作されうるコンテナ壁の内表面に付着される。
【００３１】
断熱材は三つの機能を有する。
１）ディスプレイパネルと標準的な鋼壁のようなコンテナの導電性部分との間に電気的絶縁を設けること。運送コンテナが互いに押圧されて、画面と、壁の大部分を形成する鋼との間に残る遊びが少なくなる時には、これは特に重要である。
２）画面の陥凹部分を高くすること。隆起部のある壁は、直線状のものよりはるかに強固である。こうして隆起部のある形状がコンテナの内側部分に保持される。しかしながら隆起画面は、視認角度に応じてユーザ体験にわずかな相違を生じる。例として、画面を１５度で視認すると、視認者は、９０度で画面を視認する時と比較して、示されている物体の一部分を見逃すことになる。これを解決するため、壁の溝に断熱材が大量に置かれて良好な視認のための許容レベルまでこれを埋める。
３）内部衝撃に対して緩衝を提供する。設けられたフックに締結されていない物品をコンテナが運んでいる時には、物品がずれて壁に衝撃を与えることがある。壁の内側は鋼のような強固な剛性材料で形成されるので、初期耐衝撃性が付与される。フォームはその後、電子ディスプレイに付加的な緩衝を付与する。鋼のような剛性の内壁面が衝撃を伝える時に、これは非常に有益となる。
【００３２】
この壁が運送コンテナに取り付けられた際に総重量は標準仕様内であるべきだと予想される。運送コンテナの形状および寸法も、国際運送規格に適合するように新しい運送コンテナについても同じままであると予想される。薄く軽量だが非常に強固である、カーボンファイバなど適当に選択された材料を使用することにより、これが達成される。
【００３３】
図４を参照すると、ディスプレイ表面に表示される視覚的コンテンツを記憶するのにメモリ２４が使用され、プロセッサ２６は複数の発光パネル２２に接続されて発光パネルの出力を制御し、メモリから検索された視覚的コンテンツを出力する。
【００３４】
システムはさらに、システムへ送信される視覚的コンテンツを含有するデータを受信するための通信モジュール２８を含みうる。
【００３５】
通信モジュール２８は、ＧＰＲＳ通信モジュールでありうる。
【００３６】
システムはプロセッサ２６に接続される位置モジュール３０も含む。一実施形態例で、位置モジュールはＧＰＳモジュールである。
【００３７】
いずれにしても、位置モジュール３０は輸送コンテナ１０の位置を判断するのに使用され、プロセッサ２６は、判断された位置を使用してメモリからのどの視覚的コンテンツを表示するかを選択する。
【００３８】
このようにして、プロセッサ２６はシステムを制御し、コンテナが所在する位置に関連する広告を表示する。そのため、例えば、コンテナが船舶に載せられてＡ国からＢ国へ輸送される場合、コンテナがＡ国に所在している時にはＡ国に関連する広告が表示される。船舶がＢ国に到着すると、プロセッサは、船舶が今は別の国に所在していると判断し、Ｂ国に関連する広告を自動的に選択する。
【００３９】
コンテナの波形形状のため、画像処理が行われないと視認者には画像がおかしく見えることが認識されるだろう。
【００４０】
そのため、プロセッサ２６は以下のように画像を繋ぎ合わせて画像全体を形成する。
【００４１】
類似の平面のすべてのパネルは、プロセッサ２６からの画像補正のため継ぎ合わされる。
【００４２】
それからプロセッサ２６は所定の一視認面へ投影される画像を補正する。これは、コンテナ壁の様々な平面すべてについて行われる。
【００４３】
収集される画像は、以下のパラメータに基づいて分割される。
ａ）パネルの数―均一な分布を達成することが目的。
ｂ）各パネルの大きさ―各パネルでの画像の不均一な圧縮または解凍を回避することが目的。
ｃ）各パネルの解像度―パネルが同一解像度でない状況では、均一な分布を達成するように画像が分布されなければならない。
ｄ）各パネルの傾斜角度／仰角―直線状でないパネルは画像の小さい区分に割り当てられるが、必要に応じてこの区分もさらなる処理を受ける。
ｅ）現在の環境光レベル―画面パネルの位置により生じる映り込みを軽減することを目的とし、太陽のような明るい光と直接接触するパネルであれば、作用を打ち消すために高いコントラストを有する、および／または、輝度が高いだろう。
【００４４】
一実施例において、各パネルは、メインプロセッサ２６との通信状態にある関連の制御装置を有する。
【００４５】
ゆえに、例えば図５を参照すると、パネルＶ，Ｗ，Ｘ，Ｙ，Ｚがあって、パネルＶ，Ｘ，Ｚがコンテナと互いに対して平行であり、パネルＷ，Ｙが他のパネルに対して若干の角度を成す場合には、画像を平坦に見せるため以下の補正が適用されるだろう。
Ｖ＝ＡＢ×ＡＤ＝ＤＣ×ＣＢ
Ｗ＝ＤＣ×ＤＥ＝［ＥＦ×α］×ＦＣ  αはパースペクティブ補正係数
Ｘ＝ＥＦ×ＥＨ＝ＨＧ×ＧＦ
Ｙ＝［ＨＧ×β］×ＨＩ＝ＩＪ×ＪＧ  βはパースペクティブ補正係数
Ｚ＝ＩＪ×ＪＫ＝ＫＬ×ＬＩ
ディスプレイ全体＝Ｖ＋Ｗ＋［Ｘ×δ］＋Ｙ＋Ｚ  δはパースペクティブ補正係数
Ｖ，Ｗ，Ｘ，Ｙ，Ｚはそれぞれのパネルに表示される画像である。
画像Ｖ，Ｚは制御装置Ｎｏ．１にある。
画像Ｗは制御装置Ｎｏ．２ａにある。
画像Ｙは制御装置Ｎｏ．２ｂにある。
画像Ｘは制御装置Ｎｏ．３にある。
制御装置Ｎｏ．１は画像ＶとＷをエッジＤＣで、画像ＹとＺをエッジＩＪで繋ぐ。
制御装置Ｎｏ．２ａは画像ＷとＸをエッジＥＦで繋ぐ。
制御装置Ｎｏ．２ｂは画像ＸとＹをエッジＨＧで繋ぐ。
制御装置Ｎｏ．３は画像ＷとＸをエッジＥＦで、画像ＸとＹをエッジＨＧで繋ぐ。
制御装置Ｎｏ．１，Ｎｏ．２ａ，Ｎｏ．２ｂ，Ｎｏ．３はプロセッサ２６により制御される。
【００４６】
ゆえに、パネルが互いに対して角度を成しているにも関わらず、視認される画像全体が補正されるように、プロセッサ２６は発光パネルからの画像を補正することが認識されるだろう。
【符号の説明】
【００４７】
１０  コンテナ
１４  側壁
１６  ドア
１８  電子ディスプレイシステム
２０  ディスプレイ表面
２２  発光パネル
２４  データベース・メモリ
２６  プロセッサ
２８  通信モジュール
３０  位置モジュール
【図１】
2019518228.tif 000003
【図２】
2019518228.tif 000004
【図３】
2019518228.tif 000005
【図４】
2019518228.tif 000006
【図５】
2019518228.tif 000007
【国際調査報告】
2019518228.tif 000008
2019518228.tif 000009
2019518228.tif 000010